(57)【要約】【課題】振動運動を改良しうる、マッサージ装置において使用するための振動ドライバを提供する。【解決手段】本考案のマッサージ装置用振動ドライバは、駆動手段１２、４２ａ、４２ｂ、５６、５８と接続するための駆動コネクタ５０ａ、５２ｂを支持している中心軸５４ａ、５４ｂ回りに回転可能である、偏心して分布した重り４８ａ、４８ｂを各々が有している、第一重り組立体４４及び第二重り組立体４６を備え、２つの中心軸５４ａ、５４ｂは、実質的に平行であり、駆動手段１２、４２ａ、４２ｂ、５６、５８は、２つの重り組立体の間に位置し、かつ、作動時に各駆動コネクタ５０ａ、５２ｂを介して各重り組立体を回転させるように配置されており、駆動コネクタ５０ａ、５２ｂは、各中心軸５４ａ、５４ｂの両端近傍において位置している。【選択図】図２
0003124048.tif 000002
【実用新案登録請求の範囲】
【請求項１】
駆動手段（１２、４２ａ、４２ｂ、５６、５８）と接続するための駆動コネクタ（５０ａ、５２ｂ）を支持している中心軸（５４ａ、５４ｂ）回りに回転可能である、偏心して分布した重り（４８ａ、４８ｂ）を各々が有している、第一重り組立体（４４）及び第二重り組立体（４６）を備え、
２つの前記中心軸（５４ａ、５４ｂ）は、実質的に平行であり、
前記駆動手段（１２、４２ａ、４２ｂ、５６、５８）は、２つの前記重り組立体の間に位置し、かつ、作動時に各前記駆動コネクタ（５０ａ、５２ｂ）を介して各重り組立体を回転させるように配置されており、
前記駆動コネクタ（５０ａ、５２ｂ）は、各前記中心軸（５４ａ、５４ｂ）の両端近傍において位置している、マッサージ装置用振動ドライバ。
【請求項２】
前記駆動手段（１２、４２ａ、４２ｂ、５６、５８）は、第一駆動軸（４２ａ）及び第二駆動軸（４２ｂ）を備え、
前記駆動軸（４２ａ、４２ｂ）及び前記中心軸（５４ａ、５４ｂ）は、互いに実質的に平行に向けられており、
前記駆動軸（４２ａ、４２ｂ）及び前記中心軸（５４ａ、５４ｂ）は、前記第一駆動軸（４２ａ）が前記第一重り組立体（４４）の前記駆動コネクタ（５０ａ）と同じ端部近傍において位置決めされかつ前記第一重り組立体（４４）の前記駆動コネクタ（５０ａ）と接続され、かつ、前記第二駆動軸（４２ｂ）が前記第二重り組立体（４６）の前記駆動コネクタ（５２ｂ）と同じ端部近傍において位置決めされかつ前記第二重り組立体（４６）の前記駆動コネクタ（５２ｂ）と接続されるように配置されている、請求項１に記載の振動ドライバ。
【請求項３】
前記駆動軸（４２ａ、４２ｂ）は、それらの駆動コネクタ（５０ａ、５２ｂ）へ駆動ベルト（５６、５８）によって接続されている、請求項２に記載の振動ドライバ。
【請求項４】
各駆動軸（４２ａ、４２ｂ）は、各モータ（１２）から延びている、請求項２又は３に記載の振動ドライバ。
【請求項５】
前記駆動軸（４２ａ、４２ｂ）は、１つのモータ（１２）の両端から延びている、請求項２又は３に記載の振動ドライバ。
【請求項６】
前記駆動軸（４２ａ、４２ｂ）は、前記モータ（１２）の長手軸線方向に延びている、１つの駆動軸の両端を構成している、請求項５に記載の振動ドライバ。
【請求項７】
請求項１〜６のいずれか１項に記載の振動ドライバ（４０）を組み込んでいる、マッサージ装置。
【考案の詳細な説明】
【技術分野】
【０００１】
本考案は、マッサージ装置に関し、特に、マッサージ装置においてマッサージ振動を発生させるための振動ドライバに関する。
【背景技術】
【０００２】
多種多様なマッサージ装置が、個人用又は職業用として現在利用可能である。上記マッサージ装置は、仕事中又は車中において使用するための椅子パッドを有している、マッサージ椅子や、例えば肩又はふくらはぎへ当てるための一般的な用途の手持ち式装置や、眼又は足つぼのマッサージ師などの特定の用途のために設計されている装置に及んでいる。技術が進歩するにつれて、多くのこれらの装置は、基本的なマッサージ機能の付与にとどまらず進歩し、熱マッサージ、回転マッサージ又は磁気マッサージ又は赤外線療法をも提供している。
【０００３】
しかしながら、技術の進歩にも関わらず、振動マッサージが痛んだ筋肉を刺激して和らげることについての最初の要求は、高いままである。したがって、圧倒的多数のマッサージ装置は、この能力を備えている。
【０００４】
振動マッサージを駆動するために、マッサージ装置は、一般に、少なくとも１つの偏心重り組立体を回転させるために使用されている電気モータを備えている。この偏心重り組立体が回転する時、偏心分布した重りにより、移動力が上昇し、この移動力は、マッサージ装置の治療ヘッドへ送られる。このように、治療ヘッドは、装置が当てられている、皮膚、筋肉、体の部分などに対して振動を与える。
【０００５】
上記マッサージ装置の設計者は、より満足なマッサージを提供して装置の騒音を低減させるために、電力増加が代償となる状態に直面することがしばしばある。電力又はマッサージ装置の振動の力を増加させる１つの方法は、組立体内で重さ又は質量を増加させることである。しかしながら、不幸にも、この方法は、所定の回転速度において、装置の騒音を増加させる傾向がある。あるいは、２つの重り組立体を、各軸回りで同相で回転させることができる。マッサージ力の所望の増加は維持される一方、重り分布はより一様である。本考案は、この種類のマッサージ装置駆動モータに向けられている。
【０００６】
上記従来技術のマッサージモータの１つの不利な点は、結果として生じる振動が未だに一様でないことである。重りがより対称に分布されると、騒音が低減されるが、各重り組立体は、それ自身が、必然的に非対称である。さらに、この種のモータを用いた従来技術のマッサージ装置は、「移動」する傾向がある。すなわち、この装置は、重りの回転軸とほぼ直角な方向に移動する可能性がある。これにより、マッサージの継続が中断し、リラックスした感覚が損なわれてしまう。この作用は、使用者が、この運動を通して装置を握り続けるように努力する手持ち式装置で特に感じられる。
【考案の開示】
【考案が解決しようとする課題】
【０００７】
そこで、本考案の目的は、振動運動を改良しうる、マッサージ装置において使用するための振動ドライバを提供することである。
【課題を解決するための手段】
【０００８】
したがって、本考案は、駆動手段に接続するための駆動ドライバを支持している中心軸回りで回転可能な、偏心して分布されている重りを各々が有している、第一及び第二の重り組立体を備えている、マッサージ装置用振動ドライバを提供する。これら中心軸は、実質的に平行であり、駆動手段は、２つの重り組立体の間に位置し、かつ、それらの各中心軸の両端近傍において位置する各駆動コネクタを介して各重り組立体を作動時に回転させるように配置されている。
【０００９】
この構成を、重り組立体の回転が、それらの各中心軸の対応端部において駆動コネクタに当てられる力によって駆動させられる、従来技術の二つの重り振動装置の構成と比べる。その結果、本考案によって構成されているバイブレータは、望ましくない移動が生じる可能性を低減しているということが見出されている。次に、本考案によって構成されているバイブレータは、使用者へより一様な振動感覚を潜在的に与えている。両方の駆動コネクタが振動ドライバの同じ側に位置している、従来技術の装置では、振動は、反対側に向けて付勢される傾向があり、これは、より自由に移動してしまう可能性がある。それゆえ、使用者は、わずかに一様でない振動の感覚を受けてしまう可能性がある。
【００１０】
駆動手段は、好ましくは、第一及び第二の駆動軸を備え、駆動軸及び中心軸は、互いに実質的に平行であり、駆動軸及び中心軸は、第一駆動軸が第一重り組立体の駆動コネクタと同じ端部近傍において位置決めされかつ第一重り組立体の駆動コネクタと接続され、かつ、第二駆動軸が第二重り組立体の駆動コネクタと同じ端部近傍において位置決めされかつ第二重り組立体の駆動コネクタと接続されるように配置されている。駆動軸は、好ましくは、駆動ベルトによって各駆動コネクタに接続されている。これらの構成により、駆動手段の回転運動を重り組立体に伝達する、簡単な手段を提供している。従来技術の、接続している駆動ベルトが装置の同じ側である、２つの重り振動装置において、その同じ側において、磨耗が増加してしまっているということがしばしばある。この問題は、現在の設計では避けられない。
【００１１】
これら駆動軸は、２つの別個のモータ又は１つのモータに接続させることができる。モータが１つの場合では、本考案のこの実施例は、従来技術の２つの重りシステムの１つのモータ駆動の場合と比べて、モータの耐久力を向上させるというさらなる利点がある。この構成により、モータが、対向して分布している２つの軸を介して重り組立体を回転駆動する時、モータはより一様な力を受けるということが保証される。
【００１２】
１つのモータが使用される場合、駆動軸は、モータの長手軸線方向に延びている、１つの駆動軸の両端を構成しているということが好ましい。これにより、２つの重り組立体が同相に駆動されることが簡単に保証される。
【００１３】
本考案の第二の態様において、本考案は、上述の振動ドライバを組み込んでいるマッサージ装置を提供している。
【考案を実施するための最良の形態】
【００１４】
本考案の実施例について単なる例示として図面を参照しつつ説明する。
【００１５】
従来技術のマッサージ装置の振動構成部品が図１に示されている。参照番号１０で全体的に示されているバイブレータは、電気モータ１２を備えている。電気モータ１２は、標準の又は交換可能な電池、又は、リード線１４ａ、１４ｂを介したＡＣアダプタなどの、電源（図示せず）に接続されている。電気モータ１２は、その一端から延びている駆動軸１６を有している。２つの重り組立体１８ａ、１８ｂが、電気モータ１２の両側に位置決めされている。各重り組立体１８ａ、１８ｂは、重り２０ａ、２０ｂを備え、この重り２０ａ、２０ｂは、中心軸２６ａ、２６ｂに固定されている対向している円形支持部材２２ａ、２４ａ；２２ｂ、２４ｂ上に偏心して位置している。中心軸２６ａ、２６ｂは、円形支持部材２２ａ、２４ａ；２２ｂ、２４ｂを越えて、電気モータの駆動軸１６と平行に延びている。重り組立体１８ａ、１８ｂは、電気モータの前記一端において、駆動軸１６から各円形支持部材２２ａ、２２ｂへ接続されている駆動ベルト２８によって作動させられる。駆動軸１６は、電気モータの前記一端から、ガイドホイール３０ａ、３０ｂを介して延びている。フレーム３２（マッサージ装置の内部構成要素を示すために図では切断されて示されている）は、電気モータ１２及び重り組立体１８ａ、１８ｂを収納している。重り組立体１８ａ、１８ｂは、各中心軸２６ａ、２６ｂの両端部において、軸受組立体３４ａ、３４ｂ、３４ｃ、３４ｄによってフレーム３２に取り付けられている。電気モータ１２は、任意の適切な取付手段によって取り付けられている。
【００１６】
作動時において、駆動軸１６の回転は、駆動ベルト２８によって重り組立体１８ａ、１８ｂに伝達される。ベルトは、重り組立体１８ａ、１８ｂが同相で回転するように配置されている。２つの組立体１８ａ、１８ｂは、図示されているように、重りが同相回転させられるように配置されている、対称に分布した重りを有している。この回転は、使用者又はマッサージプログラムの制御の下で、時計回り又は反時計回りとすることができる。各重り組立体が回転する時、重りの偏心により、実質的に図１の平面の内方へ及び外方への、振動運動が誘起される。この運動は、軸受組立体を介してフレーム３２へ、それゆえ、マッサージ装置の治療ヘッド（図示せず）へ送られる。
【００１７】
この設計の様々な変形例が、従来技術においても共通している。例えば、電気モータ１２には、２つの軸が設けられ、これらの軸の各々が、各重り組立体を駆動するために別々に使用されてもよい。あるいは、２つのモータが設けられ、各モータが、２つの重り組立体の１つを作動するために配置されていてもよい。
【００１８】
これら全ての従来技術の構成において、回転重りによって引き起こされる振動は、バイブレータ１０の一方側、特に、駆動ベルト２８がある側とは反対の側へ付勢される。この振動は、使用者へ一様でない振動の感覚が伝わってしまう。この振動は、さらに、駆動ベルト２８の側で過度に磨耗を引き起こしうる可能性がある。
【００１９】
ここで、図２に戻ると、本考案によるマッサージ装置用バイブレータが示されている。図２では、図１に示す従来技術と共通の構成要素は、同様に参照番号が付けられている。参照番号４０で全体的に示すバイブレータは、電気モータ１２を備えている。電気モータ１２は、標準の又は交換可能な電池、又は、リード線１４ａ、１４ｂを介したＡＣアダプタなどの、電源（図示せず）に接続されている。電気モータ１２は、その上端及び下端から延びている、第一駆動軸４２ａ及び第二駆動軸４２ｂを有している。好ましくは、第一駆動軸４２ａ及び第二駆動軸４２ｂは、モータの構成が簡単化されるように一つの駆動軸を形成するように、一体である又は接続されている。第一及び第二の重り組立体４４、４６が、電気モータ１２の両側に位置決めされている。第一重り組立体４４は、重り４８ａを備え、この重り４８ａは、中心軸５４ａに固定されている対向している、上側及び下側円形支持部材５０ａ及び５２ａ上に偏心して位置している。上側円形支持部材５０ａは、第一重り組立体４４を作動させるための駆動ベルト５６を受容するのに適している。第二重り組立体４６は、重り４８ｂを備え、この重り４８ｂは、中心軸５４ｂに固定されている対向している、上側及び下側円形支持部材５０ｂ及び５２ｂ上に偏心して位置している。しかしながら、この組立体４６では、下側円形支持部材５２ｂは、第二重り組立体４６を作動させるための駆動ベルト５８を受容するのに適している。各中心軸５４ａ、５４ｂは、各円形支持部材５０ａ、５２ａ；５０ｂ、５２ｂを越えて、電気モータの駆動軸４２と平行に延びている。第一重り組立体４４を作動させる駆動ベルト５６は、上側に延びている駆動軸４２ａによって駆動させられる。第二重り組立体４６を作動させる駆動ベルト５８は、下側に延びている駆動軸４２ｂによって駆動させられる。すなわち、２つの重り組立体４４、４６は、電気モータ１２の両端から突出している駆動軸４２ａ、４２ｂによってそれぞれ駆動させられる。フレーム３２（マッサージ装置の内部構成要素を示すために図では切断されて示されている）は、電気モータ１２及び重り組立体４４、４６を収納している。重り組立体４４、４６は、各中心軸５４ａ、５４ｂの両端部において、軸受組立体３４ａ、３４ｂ、３４ｃ、３４ｄによってフレーム３２に取り付けられている。電気モータ１２は、任意の適切な取付手段によって取り付けられている。
【００２０】
図２に示すように、重り組立体４４、４６は、モータ駆動軸４２の両側に対称に配置されている。しかしながら、重り４８ａ、４８ｂは、重り組立体４４、４６内で長手軸線方向に段階的になっている。すなわち、各組立体の重心は、各組立体を駆動する駆動軸の各端部６０、６２近傍において位置決めされている。あるいは、示されていないが、重り４８ａ、４８ｂは、それらの各軸線に沿って、中心に位置決めすることができる。
【００２１】
作動時において、駆動軸４２ａ、４２ｂは、電気モータ１２によって回転させられる。上側ベルト５６により、上側組立体動軸４２ａの回転を、第一重り組立体４４の上側円形支持部材５０ａを通して伝え、第一重り組立体４４を回転させる。下側ベルト５８により、下側組立体動軸４２ｂの回転を、第二重り組立体４６の下側円形支持部材５２ｂを通して伝え、第二重り組立体４６を回転させる。駆動軸４２ａ、４２ｂは、２つの重り組立体４４、４６を同相回転させるように配置されている。示されているように、２つの重り組立体４４、４６は、それらを同相回転させるように配置されている対称に分布した重りを有している。従来技術のように、「同相」回転は、使用者又はマッサージプログラムの制御の下で、時計回り又は反時計回りとすることができる。各重り組立体が回転する時、重りの偏心により、実質的に図１の平面の内方へ及び外方への、振動運動が誘起される。この運動は、軸受組立体を介してフレーム３２へ、それゆえ、マッサージ装置の治療ヘッド（図示せず）へ送られる。
【００２２】
本考案で重要なことは、電気モータの両側から突出している２つの駆動軸を設けることである。２つの重り組立体の一方は、一方の側から突出している軸に接続されており、２つの重り組立体の他方は、他方の側から突出している軸に接続されている。この構成により、マッサージ装置のより一様な振動が実現される。さらに、従来技術の構成の駆動ベルト側における磨耗が増大するという問題は、少なくとも部分的に解決することができる。
【００２３】
それゆえ、本考案のさらなる実施例が予期されることが明らかである。例えば、２つの駆動軸は、図２に示す実施例に示す１つのモータでなく、２つの重り組立体の間に位置する別個のモータによって駆動させることができる。しかしながら、１つのモータが使用される場合、本考案には、モータがより一様に分布された力を受けて寿命を増すというさらなる利点がある。
【００２４】
本明細書に記載したバイブレータは、任意の現在利用可能なマッサージ装置に組み込むことができるということが期待される。すなわち、このバイブレータは、マッサージベルト、椅子、足、背中、顔、体の特定部分に当てるように特別に設計された他のマッサージ器、及び、より一般的な手持ち式の装置に振動を与えるように使用することができる。このバイブレータには、振動運動に加えて、クリーム又はオイルを当てるために、熱、磁気又は回転マッサージを与えるように設計されているマッサージ装置も含まれうる。しかしながら、期待しない移動によってより重大な問題が生じてしまう、いかなるタイプの手持ち式装置でも最も有利に使用されることが期待される。
【００２５】
本考案の好適な実施例が例として詳細に記載されてきたが、当業者が本考案を修正する及び適応させるということは明らかである。さらに、本考案の実施例は、例として又は図のみによって限定されていると解釈されるべきでない。しかしながら、上記修正及び適応は、実用新案登録請求の範囲に記載のように、本考案の範囲内にある。例えば、一実施例の一部として示されている又は記載されている特徴は、別の実施例で使用することができ、さらなる実施例となる。したがって、本考案が、実用新案登録の請求の範囲及び均等物の中にある、上記修正及び変形に及んでいることが意図されている。
【図面の簡単な説明】
【００２６】
【図１】従来技術のマッサージ装置用バイブレータの図である。
【図２】マッサージ装置で使用される本考案のバイブレータの図である。
【符号の説明】
【００２７】
１２    モータ
４０    振動ドライバ
４２ａ    駆動軸
４２ｂ    駆動軸
４４    第一重り組立体
４６    第二重り組立体
５０ａ    駆動コネクタ
５２ｂ    駆動コネクタ
５４ａ    中心軸
５４ｂ    中心軸
５６    駆動ベルト
５８    駆動ベルト
【図１】
0003124048.tif 000003
【図２】
0003124048.tif 000004